(57)【要約】【課題】パネルの周囲の統一感を向上することができる間仕切パネルを得る。また、パネルの交換作業を容易に行うことができると共にパネルの支持の安定性を向上することができる間仕切パネルを得る。【解決手段】縦枠２，２と横枠３，３・・・とを組み合わせて形成されたフレーム１と、フレーム１の表面及び裏面の少なくともどちらかに止着され、上下に並設されたパネル５，５・・・と、フレーム１の上部に止着された笠木６とを備えた間仕切パネルにおいて、パネル５，５・・・をフレーム１に掛止すると共にパネル５，５・・・の中で最上部のパネルである上パネル５と笠木６との間に間隙Ａを設け、前記上下に並設されたパネル間の間隙Ｂ及び前記間隙Ａを塞ぐ横目地材８を備えた。【選択図】        図３
2005105772.tif 000002
【特許請求の範囲】
【請求項１】
縦枠と横枠とを組み合わせて形成されたフレームと、このフレームの表面及び裏面の少なくともどちらかに止着されたパネルと、前記フレームの上部に止着された笠木とを備えた間仕切パネルにおいて、
前記パネルを前記フレームに掛止すると共に、前記パネルと前記笠木との間に間隙を設け、この間隙を塞ぐ横目地材を備えた間仕切パネル。
【請求項２】
前記パネルと前記笠木との間に、前記パネルの表裏方向への開き及びへこみを規制する規制手段を設けてなる請求項１記載の間仕切パネル。
【請求項３】
前記規制手段が、前記横目地材の上面に形成された、前記パネル面に沿う方向に略水平に延びた少なくとも２個の上向きリブと、前記笠木の下面に形成された、前記上向きリブ間に係合する前記パネル面に沿う方向に略水平に延びた少なくとも１個の下向きリブである請求項２記載の間仕切パネル。
【請求項４】
前記横目地材の前記パネルの上面との当接面に凹凸部を形成すると共に、前記横目地材の上部に前記笠木と当接する弾性変形部を形成してなる請求項１〜３のいずれかに記載の間仕切パネル。
【請求項５】
前記笠木の下面に、前記縦枠及び前記横枠の中の最上部の横枠の少なくともどちらかとの、前記パネルの表裏方向の位置決め手段を設けてなる請求項１〜４のいずれかに記載の間仕切パネル。
【発明の詳細な説明】
【技術分野】
【０００１】
本発明は、縦枠と横枠とを組み合わせて形成されたフレームと、このフレームの表面及び裏面の少なくともどちらかに止着されたパネルと、前記フレームの上部に止着された笠木とを備えた間仕切パネルの改良に関するものである。
【背景技術】
【０００２】
従来の間仕切パネルとして、縦枠と横枠とを組み合わせて形成されたフレームへのパネルの止着を、パネルの上端に設けたＬ型断面の止着片を横桟に形成した係止溝に嵌合させると共に、パネルの下端に設けたＬ型断面の止着片を横桟に形成した係止片とパネルガイドにより挟持することにより行うもの（例えば、特許文献１参照。）がある。また、前記フレームへのパネルの止着を、パネルの上下に装着した、例えば樹脂製のフックを前記フレームに形成した穴に掛止することにより行うと共に、パネルの上面を笠木で押さえるものがある。
【特許文献１】実公平７−２６４８５号公報（図１、図３）
【発明の開示】
【発明が解決しようとする課題】
【０００３】
以上のような従来の間仕切パネルにおいては、パネルの周囲の縦枠及び横目地材等の見え方が異なり、パネル周囲の統一感が得られないという問題点があった。また、前者は、パネルの支持をフレームにより安定して行うことができる反面、例えばクロスパネルからハンギングパネル又はオープンパネル等への変更等、パネルの交換作業が困難であること、横桟の形状が複雑になること、及び、パネルガイドが必要になること等の問題点があった。さらに、後者は、パネルの交換作業が容易である反面、パネルの支持が不安定になりやすいこと、特に、笠木でパネルを押さえ、この押圧力により前記パネルの表裏方向への開き及びへこみを規制する構成であり、加工精度等により前記押圧力が変動するため、前記パネルの支持の信頼性に欠けるという問題点があった。
【０００４】
本発明は、前記のような問題点を解決するためになされたものであり、パネル周囲の統一感を向上することができる間仕切パネルを得ることを目的とする。また、パネルの交換作業を容易に行うことができると共にパネルの支持の安定性及び信頼性を向上することができる間仕切パネルを得ることを目的とする。
【課題を解決するための手段】
【０００５】
本発明に係る間仕切パネルは、前記課題解決のために、縦枠と横枠とを組み合わせて形成されたフレームと、このフレームの表面及び裏面の少なくともどちらかに止着されたパネルと、前記フレームの上部に止着された笠木とを備えた間仕切パネルにおいて、前記パネルを前記フレームに掛止すると共に、前記パネルと前記笠木との間に間隙を設け、この間隙を塞ぐ横目地材を備えたものである。
【０００６】
ここで、前記パネルと前記笠木との間に、前記パネルの表裏方向への開き及びへこみを規制する規制手段を設けると好ましい。
【０００７】
また、前記規制手段が、前記横目地材の上面に形成された、前記パネル面に沿う方向に略水平に延びた少なくとも２個の上向きリブと、前記笠木の下面に形成された、前記上向きリブ間に係合する前記パネル面に沿う方向に略水平に延びた少なくとも１個の下向きリブであると好ましい。
【０００８】
さらに、前記横目地材の前記パネルの上面との当接面に凹凸部を形成すると共に、前記横目地材の上部に前記笠木と当接する弾性変形部を形成すると好ましい。
【０００９】
さらにまた、前記笠木の下面に、前記縦枠及び前記横枠の中の最上部の横枠の少なくともどちらかとの、前記パネルの表裏方向の位置決め手段を設けると好ましい。
【発明の効果】
【００１０】
請求項１に係る発明によれば、パネル周囲の統一感を向上することができる間仕切パネルを得ることができる。また、前記パネルの交換作業を容易に行うことができると共に前記パネルの支持の安定性を向上することができる間仕切パネルを得ることができる。
【００１１】
また、請求項２及び３に係る発明によれば、前記パネルの表裏方向への開き及びへこみを規制することができるため、請求項１に係る発明の効果に加え、前記パネルの支持の信頼性が向上する。
【００１２】
さらに、請求項４に係る発明によれば、横目地材に形成した凹凸部及び弾性変形部の変形に伴って生じる復元力の作用により、請求項１〜３に係る発明の効果に加え、前記パネルの支持の安定性をさらに向上することができる。
【００１３】
さらにまた、請求項５に係る発明によれば、前記笠木と前記縦枠及び前記横枠の中の最上部の横枠の少なくともどちらかとが、前記上パネルの表裏方向に位置決めされ、より確実に前記フレームと固定されるため、請求項１〜４に係る発明の効果に加え、前記笠木及び横目地材により前記パネルの支持の安定性をさらに向上することができる。
【発明を実施するための最良の形態】
【００１４】
図１は本発明の実施の形態に係る間仕切パネルの斜視図、図２はフレームの例を示す正面図、図３は本発明の実施の形態に係る間仕切パネルの側面断面図である。図２に示すように、フレーム１は、穴２ａ，２ａ・・・が上下方向に形成された縦枠２，２と横枠３，３・・・とを組み合わせて形成されており、縦枠２，２下面に装着されたアジャスターボルト４，４により高さ調整を行うことができる。なお、縦枠２，２と横枠３，３・・・とは溶接又はボルトによる締結により固定されている。図１及び図３に示すように、パネル５，５・・・は上下に並設されているが、上下に複数のパネルを並設せずに一枚のパネルとしてもよい。パネル５，５・・・には、図３に示すように、例えばナイロン又はポリアセタール等の樹脂製の上フック５ａ及び下フック５ｂが、該パネルの左右にそれぞれ装着されており、該フック５ａ及び５ｂをフレーム１の縦枠２の前記穴２ａ，２ａ（図２参照。）に掛止することにより、パネル５はフレーム１に止着される。
【００１５】
図３に示すように、例えばアルミニウム合金の押し出しにより成形された笠木６は、ボルト６ａにより、フレーム１の横枠３，３・・・の中の最上部の横枠（以下、上枠と呼ぶ。）３と締結されるが、縦枠２，２と締結する構成、又は、上枠３及び縦枠２，２と締結する構成を採用することもできる。笠木６には、その上面にパネル５のパネル面に沿う方向に略水平に延びた２本の係合溝６ｂ，６ｂが形成されており、該係合溝６ｂ，６ｂを利用して前記パネル面に沿う方向に略水平に延びた、例えばＡＢＳ樹脂等の樹脂製のカバー７を容易に取り付けることができる。また、該カバー７の取り外しも容易に行うことができる。したがって、このような構成により、カバー７の色、模様、形状及び材質の変更を容易に行うことができる。例えば、木目シートを貼付したカバー７に変更すれば、容易に木目調の間仕切パネルとすることができる。
【００１６】
パネル５の中で最上部のパネル（以下、上パネルと呼ぶ。）と笠木６との間には間隙Ａが、上下に並設されたパネル５，５間には間隙Ｂが設けられ、これらの間隙Ａ，Ｂを塞ぐ、例えばＡＢＳ樹脂等の樹脂製の横目地材８，８・・・が配設されている。このように上パネル５と笠木６との間にも間隙Ａがあるため、上パネル５に装着された横目地材８は、間隙Ａを通して外部から目視することができる。なお、間隙Ａ及びＢは略同一に設定されている。このようにして、上下に並設されたパネル５，５・・・周囲の形状及び色等を統一することができるため、特に意匠面での統一感を向上することができる。
【００１７】
図４は笠木と上パネルとの関係を示す側面断面図、図５は横目地材の例を示す斜視図である。横目地材８の上面には、パネル５のパネル面に沿う方向に略水平に延びた２個の上向きリブ８ａ，８ａが形成されている。また、笠木６の下面には、表裏の上パネル５，５に装着された横目地材８，８の前記上向きリブ８ａ，８ａ間に係合する前記パネル面に沿う方向に略水平に延びた下向きリブ６ｃ，６ｃが形成されている。したがって、横目地材８の上面に形成された上向きリブ８ａ，８ａ間に笠木６の下面に形成された下向きリブ６ｃを係合させることにより、上パネル５，５の表裏方向（パネル面と直交する方向）への開き及びへこみを規制することができる。
【００１８】
このように、笠木６と上パネル５間の横目地材８の上面に形成された、前記パネル面に沿う方向に略水平に延びた２個の上向きリブ８ａ，８ａと、前記笠木６の下面に形成された、前記上向きリブ８ａ，８ａ間に係合する前記パネル面に沿う方向に略水平に延びた１個の下向きリブ６ｃが、前記上パネルの表裏方向への開き及びへこみを規制する規制手段を構成している。ここで、笠木６の下面の下向きリブ６ｃは、横目地材８の上面に形成された上向きリブ８ａ，８ａ間に係合するため、外部から目視できる横目地材８の範囲が、パネル５，５間と笠木６と上パネル５間とで同じであり、前記規制手段を構成しながらも、上下に並設されたパネル５，５・・・周囲の前記統一感を損なうことはない。なお、横目地材８の上面に形成された上向きリブ８ａは３個以上であってもよく、したがって、これら上向きリブ８ａ，８ａ・・・間に係合する笠木６の下面に形成された下向きリブ６ｃは２個以上であってもよい。さらに、前記規制手段は、前記横目地材８の上面に形成された上向きリブ及び前記笠木６の下面に形成された下向きリブに限定されるものではなく、横目地材８の上面及び笠木６の下面に突起を形成する等、他の構成を採用することもできる。
【００１９】
横目地材８の上部には、笠木６又は上部のパネル５と当接する弾性変形部８ｂが形成されており、横目地材８のパネル５の上面との当接面には、凹凸部８ｃが形成されている。ここで、弾性変形部８ｂは、上向きリブ８ａ上部から延設されているが、上向きリブ８ａとは別に形成してもよい。なお、横目地材８は、前記のとおりＡＢＳ樹脂等の樹脂製であるため、押し出し成形等により、上向きリブ８ａ，８ａ、弾性変形部８ｂ、及び、凹凸部８ｃを含め容易に一体成形することができる。
【００２０】
笠木６の装着により上パネル５に装着した横目地材８の弾性変形部８ｂが変形する（弾性変形部８ｂの変形前の状態として図５を、弾性変形部８ｂの変形後の状態として図４を参照。）。この弾性変形部８ｂの変形に基づく復元力により、上パネル５は、笠木６に対して下方に押圧されるため、上パネル５の支持の安定性をより向上することができる。また、横目地材８の上パネル５の上面との当接面には凹凸部８ｃが形成されているため、この凹凸部８ｃが前記押圧力により上パネル側に押されるため、上パネル５の支持の安定性をさらに向上することができる。したがって、このような簡素な構成により、上パネル５の支持の安定性及び信頼性の向上を実現することができる。
【００２１】
また、上下のパネル５，５間にも横目地材８があるため、横目地材８の前記弾性変形部８ｂ及び凹凸部８ｃの機能により、上下に並設されたパネル５，５・・・の支持の安定性及び信頼性の向上を実現することができる。
【００２２】
図４において、笠木６の下面に形成された上パネル５のパネル面に沿う方向に略水平に延びた下向きリブ６ｃ，６ｃの内側には、さらに前記パネル面に沿う方向に略水平に延びた下向きリブ６ｄ，６ｄが形成されている。これらの下向きリブ６ｄ，６ｄは、笠木６をフレーム１に対して、前記上パネルの表裏方向に位置決めする位置決め手段を構成するものである。このような下向きリブ６ｄ，６ｄによる簡素な構成の前記位置決め手段により、笠木６は、フレーム１の縦枠２，２と上パネル５の表裏方向に位置決めされるため、間仕切パネルの組立作業が容易になると共に、前記下向きリブ６ｄ，６ｄ間へのフレーム１の縦枠２，２の係合により、笠木６とフレーム１とのパネル５の表裏方向の相対変位が抑制される。したがって、笠木６とフレーム１とは、パネル５の表裏方向に、より確実に固定されるため、笠木６及び横目地材８により上パネル５の支持の安定性をさらに向上することができる。なお、笠木６下面の下向きリブ６ｄ，６ｄにより、上枠３と位置決めする構成、又は、縦枠２，２及び上枠３と位置決めする構成としてもよい。また、笠木６の下面に、前記下向きリブ６ｄ，６ｄではなく突起等を形成することにより、前記位置決め手段を構成してもよい。
【図面の簡単な説明】
【００２３】
【図１】本発明の実施の形態に係る間仕切パネルの斜視図である。
【図２】フレームの例を示す正面図である。
【図３】本発明の実施の形態に係る間仕切パネルの側面断面図である。
【図４】笠木と上パネルとの関係を示す側面断面図である。
【図５】横目地材の例を示す斜視図である。
【符号の説明】
【００２４】
１  フレーム                            ２  縦枠
２ａ  穴                                ３  横枠
５  パネル                              ５ａ  上フック
５ｂ  下フック                          ６  笠木
６ｃ  下向きリブ                        ６ｄ  下向きリブ
８  横目地材                            ８ａ  上向きリブ
８ｂ  弾性変形部                        ８ｃ  凹凸部
【図１】
2005105772.tif 000003
【図２】
2005105772.tif 000004
【図３】
2005105772.tif 000005
【図４】
2005105772.tif 000006
【図５】
2005105772.tif 000007